(57)【要約】【課題】玄関に設置する液晶方式の調光装置の駆動方式を改良することにより、玄関土間部まで招き入れてしまった信頼性が不十分な人物による情報の入手を回避すると共に、採光性，装飾性に優れた住宅設備を提供する。【解決手段】調光装置は、住宅の玄関土間部の側部に設置された窓ガラスの表面に配置されており、当該住宅への来訪者が玄関の呼び鈴を鳴らす動作、インターホンまたはモニターによる来訪者の確認、ドア開けと続く一連の動作と連動して、ヘイズ状態が切り替わるように制御された構成。【選択図】図２
2020197590.tif 000002
【特許請求の範囲】
【請求項１】
印加電圧に応じてヘイズを２段階以上に切り替え可能な調光層を備え、前記調光層に電圧を印加する透明電極を有する透明基材に前記調光層が挟持されている調光装置が設置された住宅であって、
前記調光装置は、住宅の玄関土間部の側部に設置された窓ガラスの表面に配置されており、当該住宅への来訪者が玄関の呼び鈴を鳴らす動作、インターホンまたはモニターによる来訪者の確認、ドア開けと続く一連の動作と連動して、ヘイズ状態が切り替わるように制御された構成であることを特徴とする住宅。
【請求項２】
前記調光装置は、住宅の玄関土間部の周辺に設置された写真または絵画の表面に配置されていることを特徴とする請求項１記載の住宅。
【請求項３】
ヘイズ状態が切り替わる目標となるヘイズ値は、０〜１００％の間で任意であることを特徴とする請求項１または２に記載の住宅。
【請求項４】
ヘイズ状態が切り替わった調光装置に対して、マニュアル操作によるヘイズ状態の任意の切り替えが可能であることを特徴とする請求項１〜３何れかに記載の住宅。
【請求項５】
前記調光装置は、
液晶組成物を含む調光層が、第１透明電極層を有する第１透明導電フィルムと第２透明電極層を有する第２透明導電フィルムに挟まれてなる調光シートと、
前記調光層に外部電源からの駆動電力を供給するための、前記第１および第２の透明電極層と電源とを接続するための第１および第２の給電部と、
駆動回路および制御部と、
を備えることを特徴とする請求項１〜４の何れかに記載の住宅。
【発明の詳細な説明】
【技術分野】
【０００１】
本発明は、住宅の玄関等に設置されて利用される調光装置に関する。
【背景技術】
【０００２】
アパート，マンションなどの集合住宅を含む各住宅の玄関では、採光や外気を採り入れる目的で玄関土間部の側方にガラス窓を配置する場合がある。ガラス窓の先が専有部分である居室の場合、外来者には室内が見られてしまう。ガラス窓の先が共用部分（通路など）である場合、通行人から屋内が見られてしまい、プライバシー保護や防犯の観点から好ましくない。
【０００３】
また、郵便配達や宅配業者向けの案内のため、玄関の外には家族表札を掲げる場合もあり、部外者から家族構成が推測されてしまうことからの防犯対策も講じる必要があり、ダミーを含めた家族表札を掲げることも採用されている。さらには、入口から玄関内に入った土間部では、来訪者の歓迎，自己顕示，アート感の演出，室内装飾などの目的で絵画や写真を掲げておく場合も散見される。
【０００４】
ガラス窓とカーテン，ブラインド，障子戸などを組み合わせる形態に代えて、光透過率を調節可能な調光装置を採用する事例が、建築物の分野でも見られている。調光装置には多様なタイプがあり、電気的駆動を行なう方式では、ＳＰＤ（Suspended Particle Device），ＥＣ（Electrochromic），液晶などが代表的である。
【０００５】
液晶方式の調光装置では、液晶組成物を含む調光層と、調光層を挟む一対の透明電極層とを有する調光シートを備える。一対の透明電極層に駆動電圧が印加されると、調光層が含む液晶分子の配向状態が変わることにより、調光シートの光透過率が変わる（例えば、特許文献１参照）。こうした調光シートと、透明電極層を電源に接続するための接続部と駆動回路などから、調光装置が構成される。
【先行技術文献】
【特許文献】
【０００６】
【特許文献１】特開２００６−１６２８２３号公報
【発明の概要】
【発明が解決しようとする課題】
【０００７】
訪問者を用心して、玄関ドアに設けられた覗き穴からの確認やインターホン越しの会話を経た上で、郵便配達や宅配業者の真偽を問わず、玄関土間部までの侵入を許容する場合もあり得る。招かれざる訪問者が玄関土間部まで侵入した場合、玄関に設置したガラス窓，写真や絵画などが、家族構成，資産状況，間取りなどが推測される情報を侵入者に与えてしまう可能性が否定されない。
【０００８】
本発明は、玄関に設置する液晶方式の調光装置の駆動方式を改良することにより、玄関土間部まで招き入れてしまった信頼性が不十分な人物による情報の入手を回避すると共に、採光性，装飾性に優れた住宅設備を提供することを目的とする。
【課題を解決するための手段】
【０００９】
本発明による調光装置が設置された住宅は、
印加電圧に応じてヘイズを２段階以上に切り替え可能な調光層を備え、前記調光層に電圧を印加する透明電極を有する透明基材に前記調光層が挟持されている調光装置が設置さ
れた住宅であって、
調光装置は、住宅の玄関土間部の側部に設置された窓ガラスの表面に配置されており、当該住宅への来訪者が玄関の呼び鈴を鳴らす動作、インターホンまたはモニターによる来訪者の確認、ドア開けと続く一連の動作と連動して、ヘイズ状態が切り替わるように制御された構成であることを特徴とする。
【００１０】
調光装置は、住宅の玄関土間部の周辺に設置された写真または絵画の表面に配置されている場合もある。
【００１１】
ヘイズ状態が切り替わる目標となるヘイズ値は、０〜１００％の間で任意である。
【００１２】
ヘイズ状態が切り替わった調光装置に対して、マニュアル操作によるヘイズ状態の任意の切り替えが可能としても良い。
【００１３】
調光装置の一例としては、
液晶組成物を含む調光層が、第１透明電極層を有する第１透明導電フィルムと第２透明電極層を有する第２透明導電フィルムに挟まれてなる調光シートと、
前記調光層に外部電源からの駆動電力を供給するための、前記第１および第２の透明電極層と電源とを接続するための第１および第２の給電部と、
駆動回路および制御部と、
を備えることを特徴とする。
【発明の効果】
【００１４】
本発明によれば、玄関土間部まで招き入れてしまった信頼性が不十分な侵入者に対して、家族構成，資産状況，間取りなどの情報を与えてしまう可能性を低減した上で、採光性，装飾性，防犯性に優れた住宅設備が提供される。
【図面の簡単な説明】
【００１５】
【図１】調光装置の設置対象である玄関に設置される家族写真の概略を示すイラスト。
【図２】調光装置の動作について、ヘイズ変調処理の手順を示すフローチャート。
【図３】調光装置の構造の一例を示す平面図。
【図４】調光装置の構造の一例を示す平面図。
【図５】調光装置の構造の一例を示す平面図。
【発明を実施するための形態】
【００１６】
調光装置の構造の一例について図面を参照して説明する。図３が示すように、調光装置１００は、窓ガラス等の透明板２００に（透明粘着層２１０を介して）取り付けられる。調光シート１１０は、一対の電極シート１３０Ａ，１３０Ｂを備え、電極シート１３０Ａには接続部１６０Ａが接続され、電極シート１３０Ｂには接続部１６０Ｂが接続されている。詳細には、図４が示すように、一方の電極シート１３０Ａは、透明電極層１４０Ａと透明支持層１５０Ａとの積層体である。透明電極層１４０Ａは、調光層１２０の一方の面に接し、透明支持層１５０Ａは、接着層２１０を介して透明板２００に貼り付けられている。接続部１６０Ａは、透明電極層１４０Ａのなかで調光層１２０および他方の電極シート１３０Ｂから露出する領域に接続されている。図５が示すように、他方の電極シート１３０Ｂは、透明電極層１４０Ｂと透明支持層１５０Ｂとの積層体であり、透明電極層１４０Ｂは、調光層１２０の他方の面に接している。接続部１６０Ｂは、透明電極層１４０Ｂのなかで調光層１２０および一方の電極シート１３０Ａから露出する領域に接続されており、透明板２００と対向する。
【００１７】
接続部１６０Ａ，１６０Ｂは、透明電極層１４０Ａ，１４０Ｂに接合された導電性接着
層１６１と、導電性接着層１６１に接合された導電テープ１６２とを備える。導電性接着層１６１は、例えば銀ペースト等の導電ペーストから構成される。導電テープ１６２は、例えば銅テープである。接続部１６０Ａ，１６０Ｂは、さらに、導電テープ１６２の表面上に位置するはんだ１６３と、はんだ１６３によって導電テープ１６２に接続されたリード線１６４とを備える。リード線１６４は、電源から供給される電圧を駆動電圧に変換する駆動回路に接続され、接続部１６０Ａ，１６０Ｂを通じて、透明電極層１４０Ａ，１４０Ｂに駆動電圧が印加される。（図４，５参照）
調光層１２０を構成する液晶の透過状態（１０％以下の低ヘイズ）と散乱状態（８０％以上の高ヘイズ）との間でスイッチングを行なう液晶組成物として、三次元の網目状に形成された樹脂からなるポリマーネットワークの内部に形成された空隙内に配置された液晶分子を有する構成のポリマーネットワーク型液晶（ＰＮＬＣ：Polymer Network Liquid Crystal）、または、液晶分子がポリマー中に分散配置された構成の高分子分散型液晶（ＰＤＬＣ：Polymer  Dispersed  Liquid  Crystal）を用いた液晶組成物のタイプが普及しており、透明−散乱の状態変化を奏する調光層用途の液晶組成物として採用されている。
【００１８】
調光シート１１０は、例えばガラス等に固定することにより、窓ガラスや展示ウインドウ，間仕切りなどの用途に調光装置１００として応用することが可能となる。本発明では、他の使用形態として、写真や絵画を収納して飾る額縁の透明部分（ガラスなど）に積層した調光装置１００としての応用例も採用される。
【００１９】
調光層１２０は、ノーマルモードとリバースモードのいずれであってもよい。ノーマルモードの調光層１２０は、電圧印加（ＯＮ）により透過状態となり、電圧除去（ＯＦＦ）により散乱状態となる。また、リバースモードの調光層１２０は、電圧除去（ＯＦＦ）により透過状態となり、電圧印加（ＯＮ）により散乱状態となる。高ヘイズ状態と低ヘイズ状態間の切り替えは、２値的な変調でなく、印加する電圧を３種類以上に切り替え可能とすることで、調光層１２０を３種類以上のヘイズ状態にも切り替えることができる。リバースモードの場合、各透明電極層（１４０Ａ，１４０Ｂ）と調光層１２０との間に配向膜を要する。配向膜は液晶材料の配向方式（ＴＮ方式，ＶＡ方式，ＩＰＳ方式，ＯＣＢ方式など）に応じて、電圧除去（ＯＦＦ）時に透過状態を呈する分子配向となるものが選定され、従来公知の水平配向膜，垂直配向膜のいずれかの配向膜が用いられる。
【００２０】
玄関（土間部）の一例では、ドアから入場した玄関土間部に下駄箱があり、ガラス窓が設置されている場合がある。ガラス窓からは外光が取り込まれると共に、家屋内部の専有部分である居室の窓ガラスにも通じており、居室内を見ることができる構造となっている場合もある。また、下駄箱の上には花瓶，家族の集合写真や絵画を掲げる装飾が施される場合もある。図１に、家族の集合写真を飾る額縁の表面に調光シートを配置した形態の調光装置２０の一例を概略的に示す。図１（ａ）では、調光シートが低ヘイズ（透明）状態で写真が見え、図１（ｂ）では、調光シートが高ヘイズ（不透明）状態で写真が隠蔽される様子を概略的に示す。
【００２１】
次に、上記構成からなる調光装置１００の動作を説明する。図２は、本実施形態における調光装置１００の動作について、ヘイズ変調処理の手順を示すフローチャートである。調光装置１００は、玄関土間部のガラス窓および絵画や写真に配置されているものとする。
【００２２】
訪問者がエントランスでドアの呼び鈴を鳴らす（Ｓ００１）。気付いた住居人は玄関に行き、呼び鈴と連動して作動するモニターおよび／またはインターホン（フローチャートでは、モニターとのみ表記している）により訪問者を目視，会話にて確認する（Ｓ００２）。確認の結果、ドアを開けて招き入れるのが完全に否定される相手でないと判断された場合、ドアを開けて玄関土間部まで通すことになる（Ｓ００３）。
【００２３】
Ｓ００１，Ｓ００２，Ｓ００３の一連の動作について実行された旨のＹＥＳ判定の場合、実行された電気信号が調光装置１００の制御部に伝わり、駆動プログラムの設定に従い、玄関に配置されている調光装置１００が呈しているヘイズ状態が自動で切り替わる（Ｓ００４）。尚、「切り替わる」とは、訪問者が呼び鈴を鳴らした時点での調光装置１００が呈しているヘイズ状態が変調することを必ずしも意味するものではない。住居人が意図した設定で、訪問者が玄関土間部に入った際に、玄関を広々と感じるように目線が外に抜け、外光が取り込まれて明るく見せたい場合には、ドア開けに応じてガラス窓の調光装置１００が透明な低ヘイズ状態となるように駆動プログラムを設定する、あるいは、訪問者にガラス窓の外の庭や居室内を見られることを伏せておきたい場合には、ドア開けに応じてガラス窓の調光装置１００が不透明な高ヘイズ状態となるように駆動プログラムを設定する、など、任意な設定が可能である。
【００２４】
また、ガラス窓の調光装置１００のヘイズ状態と写真，絵画に配置した調光装置１００のヘイズ状態とは必ずしも同調させる必要はなく、独立した個別な制御も可能である。ヘイズの変調は０〜１００％の間でアナログ的に設定しても良いし、１０％，２０％，３０％，・・・，９０％，１００％など段階的に設定しても良い。
【００２５】
Ｓ００１，Ｓ００２，Ｓ００３の一連の動作について実行されたとはみなされないＮＯ判定の場合、調光装置１００の駆動プログラムは動作せず、調光装置１００のヘイズ状態は設定した通りに変調されることは不要である（Ｓ００７）。
【００２６】
また、設定により変調された調光装置１００のヘイズ状態に沿わない訪問者であった場合、例えば、ガラス窓は透明にして写真や絵画も開放する設定になっていたが、ドアを開けて入場を容認することになった訪問者が明らかな知人（信用のおける間柄）ではなく不審者でないとは断定されない人物の場合、Ｓ００１，Ｓ００２，Ｓ００３の一連の動作に基づいて変調された調光装置１００のヘイズ状態をマニュアル操作で再変調して、ガラス窓，写真，絵画を不透明にして隠蔽することも可能である（Ｓ００６）。逆に、用心の不要な知人の入場時に調光装置１００が不透明に変調された場合、マニュアル操作で調光装置１００を透明に再変調することも可能である。
【００２７】
上記のマニュアル操作での再変調を不要にする上では、Ｓ００２でのモニターおよび／またはインターホンによる訪問者を目視，会話にて確認する際、訪問者の画像認識技術や音声認識技術をプログラム設定に応用して、例えば、予め登録される画像や音声の持ち主（親密な関係）の訪問の場合には、調光装置１００が低ヘイズ状態に切り替わる様に設定し、それ以外の訪問者の場合には、調光装置１００が高ヘイズ状態に切り替わる様に設定するなどの改良も可能である。
【符号の説明】
【００２８】
１０  玄関
２０  写真，絵画
１００  調光装置
１１０  調光シート
１２０  調光層
１３０（Ａ，Ｂ）  電極シート
１４０（Ａ，Ｂ）  透明電極層
１５０（Ａ，Ｂ）  透明支持層
１６０（Ａ，Ｂ）  接続部
１６１  導電性接着
１６２  導電テープ
１６３  はんだ
１６４  リード線
２００  透明板
２１０  透明粘着層
【図１】
2020197590.tif 000003
【図２】
2020197590.tif 000004
【図３】
2020197590.tif 000005
【図４】
2020197590.tif 000006
【図５】
2020197590.tif 000007